(57)【要約】【課題】  ラックの基本構造を変えることなく、電気機器の種類に適った機能部を容易に付加できるキャビネットラックを提供する。【解決手段】  ラックフレーム２の上枠３と下枠４の間にポスト５とマウントアングル６を立設する。マウントアングル６に電気機器を支持する多数の支持部９を形成する。ポスト５に電気機器の種類に応じた機能部１３を設ける。ポスト５の上下両端を上枠３および下枠４の四隅に分離可能に組み付ける。サーバー機器を収納するラックの場合は、機能部１３として、ポスト５とマウントアングル６との隙間を塞ぐためのヒートシール部１３Ａをポスト５の外側に設ける。ＬＡＮ機器を収納するラックの場合は、機能部として、ＬＡＮ機器に接続されるケーブルの余長部を収納するための配線ダクト部をポスト５の内側に形成する。【選択図】        図２
2012084604.tif 000002
【特許請求の範囲】
【請求項１】
上枠と下枠の間にポストとマウントアングルを立設し、マウントアングルに電気機器を支持する支持部を形成し、ポストに電気機器の種類に応じた機能部を設け、ポストの上下両端を上枠および下枠に分離可能に組み付けたことを特徴とするキャビネットラック。
【請求項２】
前記機能部が、ポストとマウントアングルとの隙間を塞ぐためのヒートシール部を含む請求項１記載のキャビネットラック。
【請求項３】
前記機能部が、電気機器に接続されるケーブルの余長部を収納するための配線ダクト部を含む請求項１記載のキャビネットラック。
【発明の詳細な説明】
【技術分野】
【０００１】
本発明は、サーバー機器やＬＡＮ機器等の各種電気機器を収納するキャビネットラックに関する。
【背景技術】
【０００２】
従来、電気機器の種類や用途に応じた機能部をラックフレームの機器収納室に付加したキャビネットラックが知られている。例えば、特許文献１に記載のラックでは、サーバー機器の熱気を吸入するための吸気ダクトが機器収納室の背後に設置されている。特許文献２のラックでは、ＬＡＮ機器に接続される大量のケーブルの余長部を収納するための配線ケースが機器収納室の上下に設けられている。
【先行技術文献】
【特許文献】
【０００３】
【特許文献１】特開２００８−２８０８５号公報
【特許文献２】特開２００３−８２５９号公報
【発明の概要】
【発明が解決しようとする課題】
【０００４】
しかし、従来のキャビネットラックによると、機能部を付加することで、ラックの基本構造が変わってしまう。例えば、特許文献１の吸気ダクトはラックの奥行きを深くし、特許文献２の配線ケースはラックの全高を高くする。このため、電気機器の種類や用途が変わる都度、機能部を付加するために、ラックの全体的な設計変更が余儀無くされるという問題点があった。
【０００５】
そこで、本発明の目的は、ラックの基本構造を変えることなく、電気機器の種類に適った機能部を容易に付加できるキャビネットラックを提供することにある。
【課題を解決するための手段】
【０００６】
上記課題を解決するために、本発明のキャビネットラックは、上枠と下枠の間にポストとマウントアングルを立設し、マウントアングルに電気機器を支持する支持部を形成し、ポストに電気機器の種類に応じた機能部を設け、ポストの上下両端を上枠および下枠に分離可能に組み付けたことを特徴とする。
【０００７】
ここで、例えばサーバー機器を収納するキャビネットラックの場合は、機能部として、ポストとマウントアングルとの隙間を塞ぐためのヒートシール部をポストの外側に設けることができる。ＬＡＮ機器を収納するキャビネットラックの場合は、機能部として、ＬＡＮ機器に接続されるケーブルの余長部を収納するための配線ダクト部をポストの内側に形成することができる。
【発明の効果】
【０００８】
本発明のキャビネットラックによれば、電気機器の種類に応じた機能部をポストに設けたので、ポストの組み替えによって多品種のラックを安価に製作できるとともに、ポストの交換によってラックの機能性を容易に変更できるという効果がある。
【図面の簡単な説明】
【０００９】
【図１】本発明の一実施形態によるラックの基本構造を示す斜視図である。
【図２】図１のラックにおいてポストの組付構造を示す斜視図である。
【図３】サーバー機器を収納したラックのポスト組付構造を示す斜視図である。
【図４】図３のＩＶ−ＩＶ線に沿う断面図である。
【図５】ＬＡＮ機器を収納したラックのポスト組付構造を示す斜視図である。
【図６】図５のＶＩ−ＶＩ線に沿う断面図である。
【発明を実施するための形態】
【００１０】
以下、本発明の実施形態を図面に基づいて説明する。図１に示すように、この実施形態のキャビネットラック１は縦長箱形のラックフレーム２を備えている。ラックフレーム２は、上枠３、下枠４、ポスト５、マウントアングル６からなり、内側に電気機器７を収納する機器収納室８が形成されている。ラックフレーム２の前面は扉（図示略）で覆われ、上面、下面、側面、背面がパネル（図示略）で覆われている。
【００１１】
ポスト５およびマウントアングル６は、それぞれ４本が上枠３と下枠４の間に立設されている。ポスト５は上枠３および下枠４の四隅に配置され、マウントアングル６が前後のポスト５の間に配置されている。マウントアングル６は、ポスト５を外した状態でラックフレーム２の原形を維持できるように充分な強度の鋼材で形成され、その長手方向に電気機器７を支持する多数の支持部９が形成されている。
【００１２】
図２に示すように、ポスト５は、電気機器７の種類に応じた横断面形状の鋼材で形成され、上下両端に上枠３および下枠４に分離可能に組み付けられる組付部１１，１２を備えている。上端組付部１１には上枠３の端面部３ａに当接する平板部１１ａが形成され、下端組付部１２に下枠４のレール部４ａに挿入可能な張出部１２ａが突設されている。組立に際しては、下端の張出部１２ａを挿入し、ポスト５を自立させた状態で、上端の平板部１１ａをボルトで上枠３に締結する。こうすれば、ポスト５を一人で楽に交換できる。
【００１３】
また、ポスト５には、電気機器７の種類に応じた機能部１３が設けられている。図３、図４に示すように、サーバー機器７Ａを収納するラック１Ａでは、機能部１３としてのヒートシール部１３Ａがポスト５の外側を全長にわたって延びるように形成されている（図２参照）。そして、ポスト５とマウントアングル６との隙間をヒートシール部１３Ａで塞ぎ、サーバー機器７Ａ側への熱気Ｈの回り込みを規制できるようになっている。
【００１４】
図５、図６に示すように、ＬＡＮ機器７Ｂを収納するラック１Ｂでは、機能部１３としての配線ダクト部１３Ｂがポスト５の内側を全長にわたって延びるように形成されるとともに、配線ダクト部１３Ｂに必要数の配線押え１４が設けられている。そして、ＬＡＮ機器７Ｂに接続される大量のケーブルＣの余長部を配線ダクト部１３Ｂに整然と収納できるようになっている。
【００１５】
従って、この実施形態のキャビネットラック１によれば、図１に示すような構造のラックフレーム２を基本とし、これに種々の機能部１３を備えたポスト５を組み替えることで、電気機器７の種類や用途に適合する多品種のラック１Ａ，１Ｂを安価に製作できる。また、電気機器７の種類や用途が変わった場合に、ポスト５を交換することにより、基本構造を変えることなく、ラック１の機能性を容易に変更することもできる。
【００１６】
本発明は上記実施形態に限定されるものではなく、例えば、ポスト５にヒートシール部１３Ａと配線ダクト部１３Ｂの両方を設けたり、ポスト５に電気機器７の電源コンセントを設置したり、ポスト５に冷媒配管の収容部を形成したりするなど、本発明の趣旨を逸脱しない範囲で、キャビネットラック１の各部の構成や形状を適宜に変更して実施することも可能である。
【符号の説明】
【００１７】
１    キャビネットラック
２    ラックフレーム
３    上枠
４    下枠
５    ポスト
６    マウントアングル
７    電気機器
１３    機能部
１３Ａ    ヒートシール部
１３Ｂ    配線ダクト部
【図１】
2012084604.tif 000003
【図２】
2012084604.tif 000004
【図３】
2012084604.tif 000005
【図４】
2012084604.tif 000006
【図５】
2012084604.tif 000007
【図６】
2012084604.tif 000008